(57)【特許請求の範囲】
【請求項１】
底枠材を有する機枠と前記機枠に配設される遊技盤とを備えたパチンコ遊技機と、
該パチンコ機から排出された入賞球及びアウト球を受け取る収容容器と、
該収容容器からの入賞球及びアウト球が落下する球回収樋と、を備えた島設備に用いられる脱落球処理部材において、
前記機枠を構成する一対の立設枠材の内側下方において各立設枠材に設けられた取付部に対し、一方の前記取付部に一方の端部が、他方の前記取付部に他方の端部がそれぞれ支持された巻き込み用ロール部と、
前記巻き込み用ロール部に巻き込み端の側から巻き込まれ、巻き出し端の側より巻き出し可能とされた布材部と、
前記布材部において前記巻き出し端の側に形成された切り欠き部と、
前記布材部の巻き出し端に取着され、前記島設備の前記球回収樋に係止可能な係止部材と、
を備え、
前記巻き込み用ロール部から前記布材部を巻き出して前記係止部材を前記球回収桶に係止した状態では、前記布材部の前記切り欠き部から前記島設備の前記収容容器が上方に突出されるとともに、前記布材部の上面が前記パチンコ機の裏面側から前記球回収樋に至る下り傾斜面となることを特徴とする脱落球処理部材。
【発明の詳細な説明】
【０００１】
【発明の属する技術分野】
本発明は、脱落球処理部材に関し、更に詳しく言えば、球回収樋に到達することなく、遊技機の裏盤面側に停滞する脱落球を処理するための脱落球処理部材に関する。そして、本発明は、パチンコ遊技機、島設備を製造、販売、使用等する分野の技術に属する。
【０００２】
【従来の技術】
パチンコ遊技店における島設備では、使用球の円滑な循環を行うことが重要である。このため、図１１に例示する様に、各パチンコ遊技機（以下、「パチンコ機」という。）８２の裏盤面側に、各パチンコ機８２から排出される使用球（入賞球及びアウト球）を逐次受け取り、この球を各パチンコ機８２の斜め下方の球回収樋８６に導くための収容容器８３が付設されることが多い（実開昭６２−２０２８８５号公報）。この球回収樋８６に回収された使用球は、所定の球揚送機（図示しない。）に搬送され、この球揚送機により使用球を研磨しながら島設備の上部へと揚送される。そして、この揚送された使用球は、補給樋（図示しない。）等を通過した後に、賞品球貯蔵タンク８２２や、各パチンコ機８２の間等に配置された球貸機（図示しない。）等へと供給される。
【０００３】
しかしながら、図１１に示す様に、収容容器８３に導かれた使用球や、賞品球貯蔵タンク８２２に供給された賞品球の幾つかが、島設備の正規の循環ルートから脱落し、各パチンコ機８２の裏盤面側に零れ落ち、停滞することが多い。このため、各パチンコ店の店員等が、パチンコ店の閉店後や、パチンコ店の休業日等に、この様な「脱落球」を取り除く作業を行っているのが実情である。具体的には、各パチンコ機８２の前方（遊技盤面の側）から、細い棒等により、停滞している落下球を一つずつ取り除く等の手作業が行われることが多い。そして、この除去作業が、各パチンコ店の店員、引いては、各パチンコ店にとって大きな負担になっている。
【０００４】
一方、この様な「脱落球」の処理を的確に処理せんとしたパチンコ機の機枠（木枠）構造が提案されている（特開昭５１−３７０８４号公報）。この機枠構造では、図１２に示す様に、機枠８２１の底枠材８２１ａの上面側等を傾斜状として、この上面側等に落下した球を停滞させない様にすることを意図している。
【０００５】
【発明が解決しようとする課題】
しかしながら、上記機枠構造では、未だ、効果的な脱落球の処理を行えないのが実情である。即ち、上記機枠構造では、底枠材８２１ａの上面等に停滞する脱落球の除去には効果があるものの、図１１に示す様に、収容容器８３の周囲に停滞する脱落球の除去にはそれ程、効果がない。従って、この機枠構造を用いた所で、上記「除去作業」が、未だ、必要とされているのが実情である。また、上記機枠８２１の島設備への固定は、底枠材８２１ａをその下方に位置する設置棚面８６１（図１１参照）に、釘打ち固定して行うことが多い。しかしながら、底枠材８２１ａの上面側が傾斜状となれば、所望の釘を、この上面側から設置用面８６１に向けて、正確に打ち込むことは困難である。従って、上記機枠構造を用いた場合、機枠８２１、引いては、パチンコ遊技機を、島設備に対し、十分に固定できないことも多い。以上の様な事情より、上記「脱落球」を効果的に処理でき、しかも、機枠８２１を島設備に固定する作業に対し、悪影響を与えない部材、方策等の出現が従来より切望されていた。
【０００６】
本発明は、上記観点に鑑みてなされてものであり、上記「脱落球」を効果的に処理でき、しかも、構造が簡易で、安価に製造できる脱落球処理部材を提供することを目的とする。
【０００７】
【課題を解決するための手段】
前記目的を達成するため請求項１に係る脱落球処理部材（以下、「処理部材」という。）は、底枠材を有する機枠と前記機枠に配設される遊技盤とを備えたパチンコ遊技機と、該パチンコ機から排出された入賞球及びアウト球を受け取る収容容器と、該収容容器からの入賞球及びアウト球が落下する球回収樋と、を備えた島設備に用いられる脱落球処理部材において、前記機枠を構成する一対の立設枠材の内側下方において各立設枠材に設けられた取付部に対し、一方の前記取付部に一方の端部が、他方の前記取付部に他方の端部がそれぞれ支持された巻き込み用ロール部と、前記巻き込み用ロール部に巻き込み端の側から巻き込まれ、巻き出し端の側より巻き出し可能とされた布材部と、前記布材部において前記巻き出し端の側に形成された切り欠き部と、前記布材部の巻き出し端に取着され、前記島設備の前記球回収樋に係止可能な係止部材と、を備え、前記巻き込み用ロール部から前記布材部を巻き出して前記係止部材を前記球回収桶に係止した状態では、前記布材部の前記切り欠き部から前記島設備の前記収容容器が上方に突出されるとともに、前記布材部の上面が前記パチンコ機の裏面側から前記球回収樋に至る下り傾斜面となることを特徴とする。
【０００８】
前記請求項１に係る脱落球処理部材は、パチンコ機の機枠を構成する一対の立設枠材の内側下方に両端側を支持された巻き込み用ロール部から布材部を引き出し、切欠部からパチンコ球を収容する収容容器を突出させて、係止部材を球回収樋に係止することによって、遊技盤の裏面側から下方に向かって傾斜した傾斜面が形成されているので、脱落球は、この傾斜面に沿って転がり、パチンコ機の機枠の底枠材の上面で脱落球を停滞させ難くなる。この結果、上記「除去作業」に関する負担を皆無にしたり、大きく低減させられる。また、従来から、「パチンコ機の裏盤面側に、長らく停滞した脱落球は、錆を生じ易い。」という問題点が指摘されていが、本処理部材はこの問題の解消にも寄与するものである。また、構造が簡易で、安価に製造できる。更に、本処理部材を用いれば、機枠の底枠材の上面自体を傾斜状にする必要はない。
【０００９】
【００１０】
【００１１】
【００１２】
【００１３】
【００１４】
【発明の実施の形態】
（１）実施の形態１
本処理部材１は、図１に示す様な外形を備えており、図２に示される島設備２に取着されて用いられる。また、この処理部材１は、イソプレンゴムを主体にするゴム系素材を用いて一体成形されたものである。更に、上面１１は、傾斜面Ｒとされており、この傾斜面Ｒの下方側に、表裏両面を貫通する略コの字状平面状の通過孔１１１が設けられている。また、各側面１２〜１５及び底面１６は、図２に示す様に、上記島設備２に連続形成される設置空間Ｋの下方側に対して、嵌着可能な形状とされている。即ち、この各側面１２〜１５及び底面１６の形状は、上記島設備２との相対的な関係で定められる。
【００１５】
上記島設備２は、図２に示される様に、設置台２１と、各パチンコ機２２と、各収容容器２３と、球回収樋２６とを備えている。このうち、設置台２１は、図２に示す様に、設置棚面２１１を横方向（図２の矢印Ｓの方向）に沿って長尺状に配置している。そして、この設置棚面２１１は、横方向に沿って、上記各パチンコ機２２の横幅に略対応した多数のユニットに分けられる。
【００１６】
そして、各ユニットの上方に、上記各パチンコ機２２を配置するための各設置空間Ｋが形成されている。尚、この設置空間Ｋを形成するために、この設置棚面２１１の上方に、所定の間隔で縦枠材が配置され、この縦枠材の上方に、設置棚面２１１に平行な横枠材等が配置されることが多いが、図２では、これらの図示を省略している。また、設置空間Ｋの境界には、球貸機が配置され、横枠材の上方には、補給樋等が配置されることが多いが、図２では、これらの図示も省略している。
【００１７】
上記パチンコ機２２は、機枠２２１と、その上方に配置される賞品球貯蔵タンク２２２と、使用球出口（入賞球及びアウト球の出口）２２３とを備えている。尚、図２では、パチンコ機２２を構成する他の部材（セーフ球経路、セーフ球処理機構等）の図示を省略している。そして、各パチンコ機２２は、各機枠２２１の底枠材２２１ａを、上記設置棚面２１１に釘打ち固定等して、上記各設置空間Ｋに固定されている。
【００１８】
また、各設置空間Ｋに固定された各パチンコ機２２は、遊技盤面を設置台２１の前方（図２の矢印Ｆの方向）に向け、裏盤面を設置台２１の後方（図２の矢印Ｂの方向）に向けている。また、設置棚面２１１の後方の段差状に下った位置には、上記各収容容器２３の固定を行うための固定用棚面２１２が、横方向に沿って長尺状に配置されている。
【００１９】
上記各収容容器２３は、内底面に排出口２３１ａを備えた容器本体２３１と、腕状の外形とされた排出用樋部２３３とからなる。また、容器本体２３１の下方側には、２本のＬ字状脚部２５ａ、２５ｂが付設されている。更に、排出用樋部２３３の根元側は、上記排出口２３１ａと連通している。また、排出用樋部２３３の先端側は、上記球回収樋２６の上方に配置されている。そして、上記使用球出口２２３より排出された使用球は、容器本体２３１、排出口２３１ａ、排出用樋部２３３の順に通過した後に、この排出用樋部２３３の先端側に設けられた落下孔（図示しない。）を通じて上記球回収樋２６へと落下することになる。また、上記各Ｌ字状脚部２５ａ、２５ｂには、横方向に向かう長孔２５１が設けられている。更に、この長孔２５１からは、予め、固定用棚面２１２に根元側が固定された雄螺子２５２の先端側が、遊びを持った状態で突出している。そして、この雄螺子２５２の先端側に、所定の蝶型雌螺子２５３が取着されることにより、各収容容器２３は固定用棚面２１２に固定される。
【００２０】
尚、各Ｌ字状脚部２５ａ、２５ｂの固定を、この様に行うのは、各パチンコ機２２の機種の相違により生ずる使用球出口２２３の位置の差異に、瞬時に対応するためである。即ち、蝶型雌螺子２５３を取り外せば、各収容容器２３を左右に移動させられる。このため、所謂「新台入替え」により、新たに配置されるパチンコ機２２の使用球出口２２３の位置と、以前に配置されていたパチンコ機２２の使用球出口２２３の位置とが少々ずれていても、瞬時に対応できるからである。尚、各収容容器２３の構造、各収容容器２３、各Ｌ字状脚部２５ａ、２５ｂの固定方法、固定用棚面２１２の構成、形成箇所等は、本形態に例示するものに限らない。例えば、固定用棚面２１２が設置棚面２１１と面一になっても、設置棚面２１１が後方側に延長され、この延長された箇所が固定用棚面２１２となってもよい。
【００２１】
上記球回収樋２６は、固定用棚面２１２より垂れ下がる第１横板２６１と、この第１横板２６１と相対向する第２横板（図示しない。）と、樋底部２６２とを用いて、略コの字状縦断面状に形成されている。また、樋底部２６２は、横方向に並べられた複数のパイプを用いて構成されている。但し、この樋底部２６２を、パイプ以外の部材（例えば、板材）を用いて構成してもよい。そして、この球回収樋２６は、樋底部２６２をやや下り傾斜にしており、その下流側は、所定の球揚送機（図示しない。）等に接続されている。また、球揚送機は、島設備２の上方に配置された補給樋（図示しない。）等に接続され、更にこの補給樋は、球貸機や賞品球貯蔵タンク２２２等に接続されている。
【００２２】
また、上記各設置空間Ｋの間に相当する箇所の後方には、所定の柱材２７が立設配置されている。尚、図２は、球回収樋２６の一方の脇にのみ、設置台２１を配置した状態を示しているが、球回収樋２６の両脇に設置台２１が配置されていてもよい。即ち、本処理部材１の使用対象となる島設備は、（１）球回収樋２６を挟んで、球回収樋２６の両脇に、パチンコ機２２を背中合わせに配置したもの（所謂、両島）であっても、（２）球回収樋２６の一方の脇にパチンコ機２２を配置し、他方の脇がパチンコ店の壁となるもの（所謂、壁島）等であってもよい。
【００２３】
以上の様に構成される処理部材１は、上記の様な弾性素材で構成されるため、適宜、屈曲させることが容易である。このため、図３に示す様に、各設置空間Ｋの下方側に、嵌め込むことが容易である。尚、処理部材１を分割可能とすれば（例えば、図１の点線に沿って２分割可能とする。）、この作業は、一層容易になる。そして、以上の様に、取着された処理部材１では、各パチンコ機２２の裏盤面側に、球回収樋２６の方向に下る傾斜面Ｒを形成する。その際、各収容容器２３（容器本体２３１及び排出用樋部２３３）は、上記通過孔１１１を通じて、この傾斜面Ｒよりも上方に突出した状態とされる。従って、この処理部材１が、各収容容器２３の本来の機能を損なうことはない。尚、この通過孔１１１の形成箇所、大きさ等は、予め、各パチンコ機２２の有する使用球出口２２３、引いては、これに応じて定められる各収容容器２２の位置等を考慮して定められる。但し、予め、通過孔１１１を大き目に設定しておけば、各収容容器２２の配置箇所の誤差に係わらず、一の処理部材１を汎用的に用いることができる。
【００２４】
また、処理部材１の横幅（側面１２、１３の距離）は、各パチンコ機２２の機枠２２１の立設枠材２２１ｃ、２２１ｄ間の距離に対応している。更に、処理部材１の底面１６は、図４（ａ）に示す様に、各収容容器２３の後方に配置される箇所において、上記底枠材２２１ａに載置可能なフラットな面形状とされている。一方、この底面１６のうちで、各収容容器２３の両脇に配置される箇所では、図４（ｂ）に示す様に、底枠材２２１ａ、設置棚面２１１及び固定用棚面２１２が形成する凸状の段差形状と、凹凸の反転した凹状の段差形状とされている。このため、処理部材１を、上記各設置空間Ｋの下方側に、すっぽりと嵌め込むことができる。
【００２５】
そして、上記処理部材１を用いれば、各賞品球貯蔵タンク２２２や、各収容容器２３等から落下した脱落球を、上記傾斜面Ｒに沿って転がし、球回収樋２６へと到達させ易くなる。このため、脱落球が各パチンコ機の裏盤面側に停滞することを抑制できる。従って、脱落球を再び、使用球の循環経路に返すことを、人手に頼らずに行うことができる。また、脱落球の各パチンコ機の裏盤面側での停滞が抑制できるため、上記「脱落球の錆」の発生を効果的に抑制できる。更に、構造が簡易で、安価に製造でき、島設備２への配置が容易である。また、本処理部材１を用いれば、機枠２２１の底枠材２１１ａの上面自体を傾斜状にする必要がない。しかも、機枠２２１を島設備２に釘打ち固定した後に、島設備２に配置できる。従って、機枠２２１を島設備２に固定するときの邪魔にならない。尚、上記処理部材１が、上記傾斜面Ｒの代わりに、球回収樋２６方向に下り傾斜となる傾斜曲面を構成してもよい。また、処理部材１は、上記の様な傾斜面Ｒ、若しくは傾斜曲面を形成するものであれば、本実施の形態の様な塊状物とする必要はない。例えば、上記の様な上面１１を備えつつも、中空とされた処理部材１であってもよい。
【００２６】
また、上記処理部材１の変形的な形態として、図５〜７に示す様な処理部材１ｅ〜１ｇを例示できる。先ず、図５に示す処理部材１ｅでは、隣接配置される処理部材１ｅ、１ｅの間に補助部材１８ｅを配置している。この補助部材１８ｅは、上記各設置空間Ｋの境界と、上記柱材２７との間に嵌め込まれ、この間の部分に脱落球が停滞することをも防止して、本各発明の目的をより一層、確実に達成せんとしている。また、図６に示す処理部材１ｆでは、傾斜面Ｒを、平面状の傾斜面部Ｒ1 、Ｒ2 と、曲面状の傾斜面部Ｒ3 とで構成している。そして、各収容容器２３の後方に配置される傾斜面部Ｒ3 は、前後に向かう中心線で、上に凸となる曲面状とされている。このため、この傾斜面部Ｒ3 には、処理部材１ｆの両脇に向かう下り傾斜が付加されている。従って、実施の形態１の処理部材１では、収容容器２３の後方に到達した脱落球が、収容容器２３の後壁面に阻まれて暫し、停滞する可能性があるが、本処理部材１ｆでは、この「短時間」の停滞をも排除できる。
【００２７】
更に、図７に示す処理部材１ｇでは、傾斜面Ｒを波型としている。即ち、傾斜面Ｒを、各収容容器２３の背後に配置され、前後に向かう中心線で、上に凸となる曲面状の傾斜面部Ｒ5 と、その両脇に配置され、前後に向かう各中心線で、下に凸となる曲面状の傾斜面部Ｒ6 、Ｒ7 とで構成している。このため、傾斜面部Ｒ5 には、処理部材１ｇの両脇に向かう下り傾斜が付加され、傾斜面部Ｒ6 、Ｒ7 には、その中央寄り向かう下り傾斜が付加されている。従って、本処理部材１ｇは、上記処理部材１ｆの奏する作用と共に、処理部材１ｇの両脇から落下しようとする脱落球を、処理部材１ｇの内方（傾斜面部Ｒ6 、Ｒ7 の略中央寄り）に引き戻そうとする作用を発揮する。
【００２８】
（２）実施の形態２
本処理部材３は、図８に示される様なものであり、巻き込み用棒状体３１と、ポリ塩化ビニルシートを用いて構成された布材３２と、布材３２の巻き出し端に取着された鍵状の係止部材３３１、３３２とを備えている。そして、巻き込み用棒状体３１の内部には、回動可能な状態とされた巻き込み用ロール（図示しない。）が配置されている。また、布材３２は、その巻き込み端の側から、この巻き込み用ロールに巻き込まれている。更に、巻き込み用ロールは、布材３２を巻き込む方向に付勢されており、この結果、本処理部材３は、ロールスクリーンの様な構造とされている。更に、巻き込み用棒状体３１の両端側からは、固定用突起３１５、３１６が突出されている。また、布材３２の巻き出し端の側は、略コの字に切り欠かれて、通過孔３２１を形成している。
【００２９】
また、本処理部材３が好適に用いられる島設備は、以下の点を除き、実施の形態１の島設備２と同様である。即ち、パチンコ機の機枠２２１の一対の立設枠材２２１ｃ、２２１ｄの下方に、上記固定用突起３１５、３１６が嵌入される固定用孔２８１ｃ、２８１ｄが設けられている点で異なっている。次に、以上の様に構成される処理部材３の島設備への配置方法を簡単に説明する。先ず、上記固定用突起３１５、３１６を、上記固定用孔２８１ｃ、２８１ｄに嵌入する。次いで、布材３２の巻き出し端を掴んで、この布材３２を巻き込み用ロールより巻き出す。そして、図９に示す様に、球回収樋２６の樋底部２６２を構成するパイプのいずれかに、上記係止部材３３１、３３２を係止する。このとき、上記収容容器２３は、上記通過孔３２１を通じて、布材３２の上方に突出する。また、上記巻き込み用ロールの巻き込み作用により、布材３２は張った状態にされる。そして、布材３２の上面が、パチンコ機２２の裏盤面側から、球回収樋２６の樋底部２６２に至る傾斜面となる。但し、上記係止部材３３１、３３２を、第１横板２６１の上方等に係止して、パチンコ機２２の裏盤面側から、球回収樋２６の上方に至る傾斜面とすることもできる。
【００３０】
以上の様に構成される処理部材３によっても、脱落球を的確に処理でき、上記実施の形態１と同様な効果が得られる。尚、本処理部材３では、屈曲容易な布材３２を主体に構成しており、島設備への「後付け」が、より一層、容易である。また、上記「布材」の素材は、上記ポリ塩化ビニルシートに限らない。尚、処理部材３の変形的な形態として、図１０に示す様な処理部材３ｂを例示できる。即ち、この処理部材３ｂでは、収容容器２３を上記傾斜面から突出させるための通過孔３２１ｂを、ロの字状に形成している。この処理部材によると、収容容器２３の下方にも、傾斜面が形成される。
【００３１】
尚、本発明においては、上記具体的な実施の形態に示すものに限らず、目的、用途に応じて本発明の範囲内で種々変更した別の実施の形態、変形的な形態、別の実施例、変形例とすることができる。即ち、上記各処理部材１、１ｅ〜１ｇ、３、３ｂは、いずれも、脱着可能とされているが、島設備２等を構成するいずれかの部材（パチンコ機２２、設置台２１等）の少なくともいずれかと一体にされていてもよい。また、隣接配置される２以上の各処理部材１、１ｅ等を、一体にすることもできる。更に、上記各実施の形態では、各処理部材１、１ｅ〜１ｇ、３、３ｂを「後付け」する場合について述べたが、島設備２等の形成と、各処理部材１、１ｅ〜１ｇ、３、３ｂの配置とを同時に行うこともできる。
【００３２】
【発明の効果】
以上の様に、上記各発明の処理部材によれば、パチンコ機の遊技盤の裏面側に、脱落球が停滞し難くなる。従って、従来から各パチンコ店で行われていた「脱落球の除去作業」に関する負担を皆無にしたり、大きく低減させられる。また、上記「脱落球の錆の発生」を効果的に防止できる。更に、構造が簡易で安価に製造でき、処理部材の使用者（パチンコ店等）に大きな費用上の負担を掛けることはない。
【図面の簡単な説明】
【図１】発明の実施の形態１の処理部材の斜視図である。
【図２】図１の処理部材が配置される島設備の概略的な一部斜視図である。
【図３】図１の処理部材を図２の島設備に配置した状態を示すの概略的な一部斜視図である。
【図４】（ａ）は図３の処理部材等を略中央の概略的な縦断面図、（ｂ）は図３の処理部材等の両脇側の概略的な縦断面図である。
【図５】図１の処理部材の変形的な形態を示す斜視図である。
【図６】図１の処理部材の変形的な形態を示す斜視図である。
【図７】図１の処理部材の変形的な形態を示す斜視図である。
【図８】発明の実施の形態２の処理部材及びこの処理部材が好適に取着されるパチンコ機の機枠を示す概略的な斜視図である。
【図９】発明の実施の形態２の処理部材を、所定の島設備に配置した状態を示す概略的を一部斜視図である。
【図１０】発明の実施の形態２の処理部材の変形的な形態を示す斜視図である。
【図１１】島設備を示す概略的な一部斜視図である。
【図１２】従来例に係わるパチンコ機の機枠構造の斜視図である。
【符号の説明】
１、１ｅ〜１ｇ；処理部材、１１１；通過用孔、２；島設備、２１；設置台、２１１；設置棚面、２１２；固定用棚面、２２；パチンコ機、２２１；機枠、２２１ａ；底枠材、２２１ｃ、２２１ｄ；立設枠材、２２２；賞品球貯蔵タンク、２２３；使用球出口、２３；収容容器、２３１；容器本体、２３１ａ；排出口、２３３；排出用樋部、２５ａ、２５ｂ；Ｌ字状脚部、２６；球回収樋、２７；柱材、Ｒ；傾斜面、Ｒ1 〜Ｒ3 、Ｒ5 〜Ｒ7 ；傾斜面部、Ｋ；設置空間、３；処理部材、３１；巻き込み用棒状体、３２；布材、３３１、３３２；係止部材、３２１ａ；通過孔。
【図１】
0004032142.tif 000002
【図２】
0004032142.tif 000003
【図３】
0004032142.tif 000004
【図４】
0004032142.tif 000005
【図５】
0004032142.tif 000006
【図６】
0004032142.tif 000007
【図７】
0004032142.tif 000008
【図８】
0004032142.tif 000009
【図９】
0004032142.tif 000010
【図１０】
0004032142.tif 000011
【図１１】
0004032142.tif 000012
【図１２】
0004032142.tif 000013